(57)【要約】      （修正有）【課題】わずかなスペースのみで複数のバスタオルを掛けることができる耐久性に優れたタオルハンガーを提供する。【解決手段】所定間隔を置いて配置された一対の回転支持部１１と、上記回転支持部間に設けられた複数の棒状タオル掛け部１２とを備えたタオルハンガー１０であって、上記一対の回転支持部間には、一対の回転支持部間を結合する軸部１３が設けられ、上記複数の棒状タオル掛け部はバスタオルを広げて掛けることができる長さに形成されている。【選択図】図１
0003192998.tif 000002
【実用新案登録請求の範囲】
【請求項１】
所定間隔を置いて配置された一対の回転支持部と、上記回転支持部間に設けられた複数の棒状タオル掛け部とを備えたタオルハンガーであって、上記一対の回転支持部間には、一対の回転支持部間に配設され、上記一対の回転支持部を連結すると共に上記回転支持部を回転させうる軸部が設けられ、上記複数の棒状タオル掛け部はバスタオルを広げて掛けることができる長さに形成されていることを特徴とするタオルハンガー。
【請求項２】
上記回転支持部は円盤により形成されていると共に、棒状タオル掛け部は上記回転支持部の周方向に沿って等間隔に五ヶ所に設けられていることを特徴とする請求項１記載のタオルハンガー。
【請求項３】
上記回転支持部には所定間隔を置いて取付孔部が開設され、上記棒状タオル掛け部は上記取付孔部に固定具を介して着脱可能に固定されていることを特徴とする請求項２記載のタオルハンガー。
【請求項４】
上記軸部にはタオルハンガー本体を吊下しうる吊下部材が取り付けられていることを特徴とする請求項１記載のタオルハンガー。
【請求項５】
上記軸部は上記一対の回転支持部を貫通して両端部が外方に配設されると共に上記吊下部材は上記軸部の両端部に接合されていることを特徴とする請求項４記載のタオルハンガー。
【考案の詳細な説明】
【技術分野】
【０００１】
本考案は、タオルハンガーに関するものである。
【背景技術】
【０００２】
従来、入浴時に使用するバスタオルは、身体全体が十分拭けるように大きな寸法を有しており、バスタオルを保管する際にはバスタオルを折って幅を短くするか、重ねるかして対処することが多かった。
【０００３】
しかし、入浴に使用した後のバスタオルについては、上記の方法で保管すると濡れた状態のバスタオルを乾燥させることができなかった。
【０００４】
そのため、住居内においてバスタオルを広げた状態で干すことができるバスタオル専用のハンガーが必要とされ、特に、一般家庭での使用を考慮すると、最低４枚程度は掛けられるタオルハンガーが所望されてきた。
【０００５】
しかし、所定枚数のバスタオルを掛けて乾燥させることができるようにバスタオル専用のハンガーを構成した場合には、ハンガー自体が所定の大きさとなるため、一般的には余り広くない脱衣所や浴室内のスペースを大きく占有するという不具合が生じていた。
【０００６】
上記不具合を解消するため、例えば特許文献１ではタオル掛け本体を収納可能なタオルハンガーが、また特許文献２ではタオル掛け部を折りたたみ可能なタオルハンガーがそれぞれ提案されている。
【０００７】
しかしながら、上記特許文献１に開示されたタオル掛けには、使用する際には床面に設置されることから床面のスペースを占拠すると共に、上記特許文献２に係るタオルハンガーは、あくまで使用しないときの省スペース化に注目したものであるが、複数枚のバスタオルを掛けておくことはできないという不具合が生じていた。
【０００８】
一方で、特許文献３では、回転可能なタオル掛け部を有するタオルハンガーが提案されている。
【０００９】
しかしながら、上記特許文献３に係るタオルハンガーは、フキンやタオルを対象としたハンガーであり、同様にバスタオルを複数枚掛けておくことはできない。
【００１０】
また、軸部はビスネジにより構成されていることから、使用後のバスタオルのように水を吸って重くなったタオルを掛けた場合に、ハンガー及びタオルを合わせた重量が回転機構を構成するビスネジに全てかかってしまい、耐久性に劣る可能性があるという不具合があった。
【特許文献１】登録実用新案第３０８２９５２号公報
【特許文献２】特開  第２００９−２９７４４１号公報
【特許文献３】実開  第昭５９−１１８４９１号公報
【考案の開示】
【考案が解決しようとする課題】
【００１１】
そこで、本考案は、以上のような従来の要請に基づくものであって、その課題は、わずかなスペースのみで複数のバスタオルを掛けることができる耐久性に優れたタオルハンガーを提供することにある。
【課題を解決するための手段】
【００１２】
上記課題を解決するために、請求項１に記載の考案にあっては、所定間隔を置いて配置された一対の回転支持部と、上記回転支持部間に設けられた複数の棒状タオル掛け部とを備えたタオルハンガーであって、上記一対の回転支持部間には、一対の回転支持部間に配設され、上記一対の回転支持部を連結すると共に上記回転支持部を回転させうる軸部が設けられ、上記複数の棒状タオル掛け部はバスタオルを広げて掛けることができる長さに形成されていることを特徴とする。
【００１３】
従って、上記棒状タオル掛け部にバスタオルを広げて掛けることができると共に、上記棒状タオル掛け部を上記軸部を中心として回転させることができる。
【００１４】
請求項２に記載の考案にあっては、上記回転支持部は円盤により形成されていると共に、棒状タオル掛け部は上記回転支持部の周方向に沿って等間隔に五ヶ所に設けられていることを特徴とする。
【００１５】
従って、上記円盤の回転支持部間に設けられた棒状タオル掛け部を上記軸部を中心として回転させることができると共に、直上のもの以外の４本の棒状タオル掛け部に互いに干渉することなくタオルを掛けておくことができる。
【００１６】
請求項３に記載の考案にあっては、上記回転支持部には所定間隔を置いて取付孔部が開設され、上記棒状タオル掛け部は上記取付孔部に固定具を介して着脱可能に固定されていることを特徴とする。
【００１７】
従って、上記棒状タオル掛け部は、上記固定部を外して上記取付孔部から取り外すことができる。
【００１８】
請求項４に記載の考案にあっては、上記軸部にはタオルハンガー本体を吊下しうる吊下部材が取り付けられていることを特徴とする。
【００１９】
従って、タオルハンガー本体を天井又は壁面に吊り下げることができる。
【００２０】
請求項５に記載の考案にあっては、上記軸部は上記一対の回転支持部を貫通して両端部が外方に配設されると共に上記吊下部材は上記軸部の両端部に接合されていることを特徴とする。
【００２１】
従って、上記軸部の両端を支持することによりタオルハンガー本体を吊り下げることができる。
【考案の効果】
【００２２】
請求項１に記載のタオルハンガーにあっては、上記棒状タオル掛け部にバスタオルを広げて掛けることができるので、バスタオルを乾燥させやすいタオルハンガーを提供することができる。
また、上記棒状タオル掛け部を上記軸部を中心として回転させることができるので、水を吸って重くなったバスタオルを掛けた場合であっても、その荷重を上記軸部全体で支えることができ、耐久性に優れたタオルハンガーを提供することができる。
【００２３】
請求項２に記載のタオルハンガーにあっては、上記円盤の回転支持部間に設けられた棒状タオル掛け部を上記軸部を中心として回転させることができるので、上記棒状タオル掛け部が設けられた回転支持部を回転させやすいタオルハンガーを提供することができる。
また、最上位に配置された棒状タオル掛け部以外の４本の棒状タオル掛け部に互いに干渉することなくタオルを掛けておくことができるので、多数枚のタオルを乾燥させやすいタオルハンガーを提供することができる。
【００２４】
請求項３に記載のタオルハンガーにあっては、上記棒状タオル掛け部は、上記固定部を外して上記取付孔部から取り外すことができるので、必要に応じて上記棒状タオル掛け部を取り外して交換することができる。
【００２５】
請求項４に記載のタオルハンガーにあっては、タオルハンガー本体を天井等に吊り下げることができるので、床面のスペースを占拠することがなく、壁に固定する場合に比べて耐久性に優れたタオルハンガーを提供することができる。
【００２６】
請求項５に記載のタオルハンガーにあっては、上記軸部の両端を支持することによりタオルハンガー本体を吊り下げることができるので、水を吸って重くなったバスタオルを掛けた場合であっても、上記軸部にかかった荷重を上記吊下部材がバランスよく支えると共に、上記棒状タオル掛け部を上記軸部を中心として安定して回転させうる耐久性に優れたタオルハンガーを提供することができる。
【図面の簡単な説明】
【００２７】
【図１】本考案に係るタオルハンガーの一実施の形態を示す正面図である。
【図２】本考案に係るタオルハンガーの一実施の形態を示す斜視図である。
【図３】本考案に係るタオルハンガーの一実施の形態を示す中央部縦断面図である。
【図４】図１のＡ−Ａ線に沿う断面図である。
【考案を実施するための最良の形態】
【００２８】
以下、添付図面に示す実施の形態に基づき、本考案を詳細に説明する。
図１〜図２に示すように、本考案の実施の形態に係るタオルハンガー１０は、所定間隔を置いて配置された一対の回転支持部１１と、上記回転支持部１１間に設けられた複数の棒状タオル掛け部１２とを備えている。
【００２９】
また、上記一対の回転支持部１１、１１間には、一対の回転支持部１１、１１間に配設され、上記一対の回転支持部１１、１１を連結すると共に上記回転支持部１１を回転させうる軸部１３が設けられ、上記複数の棒状タオル掛け部１２はバスタオルを広げて掛けることができる長さに形成されている。
また、上記回転支持部１１は円盤１４により形成されている。
【００３０】
また、上記回転支持部１１には所定間隔を置いて取付孔部１５が開設され、上記棒状タオル掛け部１２は上記取付孔部１５に固定具１６を介して着脱可能に固定されている。
【００３１】
また、上記軸部１３にはタオルハンガー１０本体を吊下しうる吊下部材１７が取り付けられている。
また、上記軸部１３は上記一対の回転支持部１１を貫通して両端部１８が外方に配設されると共に上記吊下部材１７は上記軸部１３の両端部１８に接合されている。
【００３２】
本実施の形態に係るタオルハンガー１０の構成について、添付図面を用いてより詳細に説明する。
図１〜図４に示すように、上記回転支持部１１は所定の厚さ寸法を有する円盤１４により形成されており、上記一対の回転支持部１１は所定間隔を置いて平行に配置されている。
【００３３】
上記棒状タオル掛け部１２は、５本の全体略細長円柱状に形成された棒材で構成されている。
【００３４】
また、上記取付孔部１５は、上記回転支持部１１の外周端から所定間隔離間した同心円上に等しい間隔で５箇所、内径が上記棒材の外径と略同一寸法の平面略円形状に厚さ方向に貫通して形成されている。
【００３５】
上記固定具１６は、全体略円筒状であり、内径が上記棒材の外径と略同一寸法に、外径が上記取付孔部１５の内径よりも大きい径寸法に形成され、上記棒材の両端部２０に着脱可能に圧入挿着されている。
【００３６】
また、上記軸部１３は、上記一対の回転支持部１１、１１間に、上記一対の回転支持部１１、１１を結合固定するように設けられた細長円筒形状の結合管部２１と、上記結合管部２１内に挿通配置された棒状の軸部本体２２とにより構成されている。
【００３７】
上記軸部本体２２は、上記一対の回転支持部１１の中心を貫通して配置され、上記軸部本体２２の両端部２３が回転支持部１１、１１の、夫々、外方に延設されている。
【００３８】
上記軸部本体２２を貫通させるために上記回転支持部１１の中心に設けられた貫通孔２４は、上記結合管部２１の内径と同一寸法に形成されている。
【００３９】
また、上記吊下部材１７は、上記軸部１３の両端部１８、１８に接合された軸接合部２５、２５と、上記軸接合部２５、２５の端部において直角に折曲して連設されたハンガー支持部２６と、上記ハンガー支持部２６の長さ方向中央部に設けられた吊下固定部２７とを備えている。上記軸接合部２５、２５は、上記軸部本体２２の両端部２４に接合されている。
【００４０】
上記ハンガー支持部２６は、全体略コ字状に形成され、上記ハンガー支持部２６の上端中央部が上記吊下固定部２７に、上記ハンガー支持部２６の内側端部が上記軸接合部２５に夫々接続されている。
【００４１】
上記吊下固定部２７は、外部保持手段である物干し竿等の棒部材を貫通させタオルハンガー１０本体を吊持させうる略円筒形状の保持部２８と、上記保持部２８の下端部が固定され全体略円錐状に形成された固定基部２９と、上記固定基部２９の下部に連接されタオルハンガー１０本体を回転可能に支持しうる略円盤状の回転固定部３０とにより構成されている。
【００４２】
本実施の形態に係るタオルハンガー１０の作用について、添付図面を用いて説明する。
本実施例に係るタオルハンガー１０を使用する場合には、例えば、上記保持部２８を屋内の天井等に適宜手段により固定して使用する。
【００４３】
上記タオルハンガー１０にあっては、図１〜図４に示すように、上記棒状タオル掛け部１２はバスタオルを広げて掛けることができる長さに形成されているので、上記棒状タオル掛け部１２にバスタオル（図示せず）を掛けることができる。
【００４４】
特に、図４に示すように、上記棒状タオル掛け部１２は、上記固定支持部の周方向に沿って等間隔に五ヶ所に設けられている。
【００４５】
従って、上記軸部１３の直上に位置し最上位に配置された棒状タオル掛け部１２ａを除く４本の棒状タオル掛け部１２ｂ、１２ｃ、１２ｄ、１２ｅにバスタオルを掛けることで、互いに重なることがなく、濡れた状態のバスタオルを掛けた場合であっても乾燥させることができる。
【００４６】
また、本実施例に係る上記軸部１３は、上記一対の回転支持部間１１を結合する上記結合管部２１と、上記結合管部２１を挿通する上記軸部本体２２とにより構成されている。
【００４７】
上記結合管部２１は、上記吊下部材１７に接合固定された上記軸部本体２２の周囲方向に回転させることができる。上記回転支持部１１、１１は互いに上記結合管部２１により結合されているため、上記一対の回転支持部１１、１１を上記軸部本体２２に対して一体として回転させることができる。
従って、上記回転支持部１１、１１間に設けられた上記棒状タオル掛け部１２を回転させることができるので、上記棒状タオル掛け部１２を回転させやすいタオルハンガーを提供することができる。
【００４８】
また、上記結合管部２１が上記一対の回転支持部１１、１１を結合させているため、上記一対の回転支持部１１、１１が同期して回転する。
従って、濡れて重くなったバスタオルを掛けた場合であっても回転同期性を確保することができ、上記棒状タオル掛け部に作用する荷重によって上記棒状タオル掛け部１２が捩れることなく安定して回転させやすいタオルハンガーを提供することができる。
【００４９】
また、上記棒状タオル掛け部１２にバスタオル（図示せず）を掛けた状態で、上記回転支持部１１を手前又は奥方向に回転させることによって、上記回転支持部１１間に設けられた上記棒状タオル掛け１２が連動して回転し、必要なバスタオルの掛かった上記棒状タオル掛け部１２を使用者側に移動させることができる。その結果、必要なバスタオルを使用者に最も近い位置で容易に手に取ることができる。
【００５０】
また、本実施例に係るタオルハンガー１０にあっては、濡れて重くなったバスタオルを掛けた場合、バスタオルの荷重は上記棒状タオル掛け部１２から上記一対の回転支持部１１に設けられた上記取付孔部１５へと左右均等にかかる。
【００５１】
続いて、上記取付孔部１５に作用した荷重は、上記回転支持部１１を経て、上記軸部１３の軸部本体２２へと作用する。
【００５２】
この際、上記軸部本体２２は上記吊下部材１７に接合されているので、外部からの保持手段を有する上記吊下部材１７によって直接バスタオルの荷重を支持することができる。
【００５３】
従って、水を吸って重くなったバスタオルを上記棒状タオル掛け部１２に掛けた場合であっても、その荷重は上記回転支持部１１を介して上記吊下部材に接合された上記軸部１３全体で支えることができ、安定して回転させやすい耐久性に優れたタオルハンガーを提供することができる。
【００５４】
また、本実施例に係る上記固定具１６にあっては、上記棒状タオル掛け部１２に着脱可能に挿着されているため、上記固定具１６を外すことで、上記棒状タオル掛け部１２を上記取付孔部１５より取り外すことができる。
従って、必要に応じて上記棒状タオル掛け部１２を交換することができる。
【００５５】
また、本実施例に係るタオルハンガー１０にあっては、上記吊下固定部２７に設けられた回転固定部３０により、タオルハンガー１０本体を回転可能に支持することができる。
【００５６】
従って、吊り下げられたタオルハンガー１０本体の水平方向における姿勢を使用状況に合わせて変更することができるため、脱衣所や浴室を占有するスペースを最小限に抑えることができる。
【００５７】
本実施の形態に係る回転支持部１１は円盤１４で形成されている場合を例に説明したが、上記構成に限定されず、他の形状であってもよい。
【００５８】
また、本実施の形態に係る棒状タオル掛け部１２にあっては、上記回転支持部１１に上記取付孔部１５が開設され、上記取付孔部１５に固定具を介して着脱可能に固定されている場合を例に説明したが、上記構成に限定されない。
【００５９】
また、本実施の形態に係る棒状タオル掛け部１２にあっては、棒材が５本の場合を例に説明したが、本実施の形態に限定されず、他の本数であってもよい。
【産業上の利用可能性】
【００６０】
本考案は、広くバスタオル用のタオルハンガーに適用可能であり、産業上利用可能性を有している。
【符号の説明】
【００６１】
１０：タオルハンガー
１１：回転支持部
１２：棒状タオル掛け部
１３：軸部
１４：円盤
１５：取付孔部
１６：固定具
１７：吊下部材
１８：軸部の両端部
２０：棒材の両端部
２１：結合管部
２２：軸部
２３：軸部の両端部
２４：貫通孔
２５：吊下固定部
２６：ハンガー支持部
２７：軸接合部
２８：保持部
２９：固定基部
３０：回転固定部
【図１】
0003192998.tif 000003
【図２】
0003192998.tif 000004
【図３】
0003192998.tif 000005
【図４】
0003192998.tif 000006